(57)【要約】      （修正有）【課題】簡単な構造で効率よく安全に、屋根の雪を下方から突いて落とすことができる除雪具を提供する。【解決手段】棒部材１２と、棒部材１２の先端に合成樹脂で一体成形された本体１４から成る。本体１４は、棒部材１２の長手方向に対して平行な面に沿って設けられている底板１６と、底板１６のほぼ中心に設けられ棒部材１２を固定する固定部と、棒部材１２の長手方向に対して斜めに交差する側面を有する案内板１８を備える。案内板１８は、底板１６から立ち上り、立ち上がり方向の断面形状は、高さ方向の中間部分が棒部材１２の延出方向に膨らんで湾曲している。案内板１８は、高さ方向の中間部分の変位が最も大きく、棒部材１２を挟んで左右対称に設けられ、案内板１８の底板１６に対して平行方向の断面形状は、棒部材１２から離れるに従って棒部材１２の延出方向へ向かうＶ字形に形成されている。【選択図】図２
0003168505.tif 000002
【実用新案登録請求の範囲】
【請求項１】
所定の長さの棒部材と、前記棒部材の先端に取り付けられ合成樹脂で一体成形された本体とから成り、前記本体は、前記棒部材の長手方向に対して平行な面に沿って設けられている底板と、前記底板の所定位置に設けられ前記棒部材を所定方向に固定する固定部と、前記棒部材の長手方向に対して斜めに交差する側面を有する案内板を備え、前記案内板は、前記底板から所定高さに立ち上り、立ち上がり方向の断面形状は、高さ方向の中間部分が前記棒部材の延出方向に膨らんで湾曲していることを特徴とする除雪具。
【請求項２】
前記案内板は、前記棒部材を挟んで左右対称に設けられ、前記案内板の前記底板に対して平行方向の断面形状は、前記棒部材から離れるに従って棒部材の延出方向へ向かうＶ字形に設けられている請求項１記載の除雪具。
【請求項３】
前記案内板の、前記棒部材の延出部分に対向する側面には、前記底板に対してほぼ直角に補強リブが設けられ、前記補強リブは、複数本が互いに平行に設けられている請求項１記載の除雪具。
【請求項４】
前記底板は、前記棒部材を挟んで左右対称形の板状であり、前記棒部材は一個の辺の中間を略直角に交差して通過し、前記底板のこの辺と反対側の部分は、一対の辺が前記棒部材の延長線を挟んで両側に斜辺を有するＶ字形に位置している請求項２または３記載の除雪具。
【請求項５】
前記固定部は、前記棒部材を所定方向に沿って差し込む筒体であり、前記筒体の前記底板に接する部分には、前記棒部材を固定するための透孔が前記底板を貫通して設けられている請求項１記載の除雪具。
【考案の詳細な説明】
【技術分野】
【０００１】
この考案は、屋根に積もった雪を下方から突いて落とす除雪具に関する。
【背景技術】
【０００２】
家屋の屋根に積もった雪は、風の影響で軒先に厚く積もりやすく、このような雪の重量で軒先が破損することがある。これを防ぐために、軒先の雪を除去する必要があり、屋根の上で作業する場合もあるが、より容易に除去する道具として、地上に立った状態で下から突いて落とす除雪具が考えられている。
【０００３】
例えば、特許文献１に開示されている雪おろし具は、長い棒状の取手と、取手の先端に取り付けられた底板と、底板に取り付けられた一対の可動翼が設けられている。可動翼は、取手に対して交差する軸に回転可能に取り付けられ、取手の延出方向に向かって底板に沿って倒れるものであり、また力がかかると底板に対してほぼ直角に立ち上がりその位置からは取手の反対側に倒れないように形成されている。底板の取手に対して平行な一対の側縁部には、底板に対して直角な側板が設けられている。
【０００４】
この雪おろし具の使用方法は、まず取手を持って屋根の雪に先端の底板を差し込む。そして、取手を引くと可動翼は雪の抵抗により直角に立ち上り、雪を保持しながら屋根から引き下ろす。これにより雪を屋根から落下させることができる。
【０００５】
また、特許文献２に開示されている屋根の積雪の除去具は、長い棒状の握持柄と、握持柄の先端に取り付けられた薄板本体が設けられ、薄板本体には、薄板本体の中心に握持柄に対して平行に設けられた切刃板と、切刃板の途中から連続し握持柄の延出方向に向かって徐々に切刃板から離れるハの字形に設けられた一対の案内板と、薄板本体の握持柄に対して平行な一対の側縁部に形成されたサイドガイドが設けられている。案内板とサイドガイドの間には外側に貫通する排除口が設けられている。
【０００６】
この積雪除去具の使用方法は、まず握持柄を持って屋根の雪に先端の薄板本体を差し込む。この薄板本体によって雪の中腹を切り裂き、薄板本体に立設されたサイドガイドと切刃板によって、縦に切り裂き、切り裂かれた雪は案内板によって誘導され、排除口から排出される。これにより、屋根の雪は、屋根の側方やあらかじめ雪の表面に作られた溝に押し出され、下に落下する。
【先行技術文献】
【特許文献】
【０００７】
【特許文献１】特開昭６２−１８９２１１号公報
【特許文献２】特開２００７−２３１７０８号公報
【考案の概要】
【考案が解決しようとする課題】
【０００８】
上記背景技術の特許文献１の雪おろし具の場合は、構造が複雑であり、雪の重みで部品が壊れやすいという問題があった。特許文献２の屋根の積雪除去具の場合は、雪が排除口から側方へ流れるため、効率よく雪を落とすことができなかった。特に、サイドガイドは、切刃板に対して垂直に立設されているため、雪が容易に乗り越えて横に流れるため、多くの雪を保持することが難しく、効率が良くなかった。さらに、形状が複雑で雪が移動しにくいという問題もあった。
【０００９】
この考案は、上記背景技術の問題点に鑑みてなされたものであり、簡単な構造で効率よく安全に、屋根の雪を下方から突いて落とすことができる除雪具を提供することを目的とする。
【課題を解決するための手段】
【００１０】
本考案は、所定の長さの棒部材と、前記棒部材の先端に取り付けられ合成樹脂で一体成形された本体とから成り、前記本体は、前記棒部材の長手方向に対して平行な面に沿って設けられている底板と、前記底板の所定位置に設けられ前記棒部材を所定方向に固定する固定部と、前記棒部材の長手方向に対して斜めに交差する側面を有する案内板を備え、前記案内板は、前記底板から所定高さに立ち上り、立ち上がり方向の断面形状は、高さ方向の中間部分が前記棒部材の延出方向に膨らんで湾曲している除雪具である。前記案内板は、中間高さ部分の変位が最も大きくなっている。また、前記棒部材の取付方向は、前記底板の中心線上である。
【００１１】
前記案内板は、前記棒部材を挟んで左右対称に設けられ、前記案内板の前記底板に対して平行方向の断面形状は、前記棒部材から離れるに従って棒部材の延出方向へ向かうＶ字形に設けられている。
【００１２】
また、前記案内板の、前記棒部材の延出部分に対向する側面には、前記底板に対してほぼ直角に補強リブが設けられ、前記補強リブは、複数本が互いに平行に設けられている。前記補強リブは、例えば左右で２本ずつ、計４本が設けられている。前記補強リブは、前記案内板から任意の高さで突出し前記底板に近いほど突出量が大きい。
【００１３】
前記底板は、前記棒部材を挟んで左右対称の変形した五角形の板状であり、前記棒部材は一個の辺の中間を略直角に交差して通過し、前記底板のこの辺と反対側の部分は、一対の辺が前記棒部材の延長線を挟んで両側に斜辺を有するＶ字形に位置している。
【００１４】
また、前記固定部は、前記棒部材を所定方向に沿って差し込む筒体であり、前記筒体の前記底板に接する部分には、ネジ等で前記棒部材を固定するための透孔が前記底板を貫通して設けられている。
【考案の効果】
【００１５】
本考案の除雪具は、簡単な構造で効率よく家屋の屋根の雪を下方から突いて落とすことができ、強度も高いものである。しかも、屋根に登らずに安全に除雪することができ、弱い力でも確実に除雪することができるものである。
【図面の簡単な説明】
【００１６】
【図１】この考案の一実施形態の除雪具の斜視図である。
【図２】この実施形態の除雪具の他の方向から見た斜視図である。
【図３】この実施形態の除雪具の本体の平面図である。
【図４】図３のＡ―Ａ線縦断面図である。
【図５】この実施形態の除雪具の本体の底面図である。
【図６】この実施形態の除雪具の使用状態を示す斜視図である。
【考案を実施するための形態】
【００１７】
以下、この考案の実施形態について図面に基づいて説明する。図１〜図６はこの考案の一実施形態を示すもので、この実施形態の除雪具１０は、任意の長さの棒部材１２と、棒部材１２の先端部１２ａに固定された本体１４とから成る。棒部材１２は、図６に示すように地面に立つ作業者２６が持ったときに家屋２８の屋根に本体１４が届く長さであり、例えば２ｍ〜３ｍである。このとき、作業者２６は家屋２８の軒先２８ａから安全な距離だけ離れることができる。
【００１８】
本体１４は、合成樹脂で一体成形されたものであり、棒部材１２の長手方向に対して平行な面に沿って設けられた底板１６を備えている。底板１６は図３に示すように中心線であるＡ−Ａ線を挟んで左右対称の変形した五角形の板状であり、Ａ−Ａ線は一番長い辺１６ａの中央部を通過している。辺１６ａの両端部に連続する一対の辺１６ｂ，１６ｃは互いに平行で相対的に短く、辺１６ｂ，１６ｃに各々連続する一対の辺１６ｄ，１６ｅは辺１６ｂ，１６ｃよりも長く互いにＶ字形に位置している。さらに、五角形の各角部は面取りされている。
【００１９】
底板１６の一方の側面１６ｆには、案内板１８が設けられている。案内板１８の、側面１６ｆに対して平行方向の断面形状は、図３に示すＡ−Ａ線を挟んで左右対称であり、辺１６ｄ，１６ｅに対して平行なＶ字形に形成され、辺１６ｂ，１６ｃ近傍に達している。案内板１８は、底板１６の側面１６ｆから所定高さに立ち上り、立ち上がり方向の断面形状、つまり側面１６ｆに対して直角方向の断面形状は、高さ方向の中間部分が辺１６ａ側に近付くように湾曲され、高さ方向の中間部分の変位が最も大きくなっている。
【００２０】
案内板１８の、辺１６ａ側に対向する側面１８ａには、補強リブ２０が設けられている。補強リブ２０は、側面１６ｆに対して直角方向に設けられ、側面１６ｆから案内板１８の上端部に達して形成されている。補強リブ２０は、複数本が互いに平行にほぼ等間隔に設けられ、例えば左右に２本ずつ、計４本設けられている。各補強リブ２０は、案内板１８の側面１８ａから任意の高さで辺１６ａ側に向かって突出し、案内板１８の側面１６ｆに近い部分ほど突出量が大きく形成されている。
【００２１】
底板１６の側面１６ｆには、図３のＡ−Ａ線上に、棒部材１２の先端部１２ａが差し込まれて固定される固定部２２が設けられている。固定部２２は、案内板１８の上記Ａ−Ａ線に対して平行に設けられた円筒形であり、底板１６の辺１６ａ側が開口され、反対側は案内板１８の側面１８ａに当接して閉鎖されている。固定部２２の、案内板１８の側面１８ａに当接する部分の内側には、棒部材１２の先端部１２ａを受ける断面十字形の壁部２２ａが設けられている。固定部２２の、底板１６の側面１６ｆに接する部分には、ネジ等で固定するための透孔２４が底板１６を貫通して設けられている。
【００２２】
次に除雪具１０の組立方法について説明する。まず、本体１４の固定部２２に棒部材１２の先端部１２ａを差し込み、透孔２４にネジ等を底板１６の裏から差し込み、棒部材１２内に固定する。
【００２３】
次に、除雪具１０の使用方法について図６に基づいて説明する。作業者２６が家屋２８近傍の地面等に立ち、除雪具１０の棒部材１２を持って棒部材１２の先端部１２ａに取り付けられた本体１４を家屋２８の軒先２８ａの雪３０に差し込み、雪３０を本体１４の底板１６で屋根と平行な面で切る。これとともに、除雪具１０の本体１４を雪３０中に押し込むと、案内板１８により雪３０が側方に押しやられ、家屋２８の軒先２８ａから落下する。さらに、屋根の奥の方の雪３０は、一度除雪具１０を雪から引き抜いて除雪具１０の上下を反対にして、雪３０の表面に落として案内板１８で略垂直方向に切る。その状態で除雪具１０を引くと、案内板１８の側面１８ａに当接した雪が屋根に沿って引き下ろされて軒先２８ａから落下する。これらの動作を繰り返して軒先２８ａの除雪を行う。なお、除雪具１０の使用方法や雪の落とし方は、これ以外でもよい。
【００２４】
この実施形態の除雪具１０によれば、簡単な構造で確実に家屋２８の軒先２８ａの除雪を行うことができ、雪３０の質量による軒先２８ａの破損を防ぐことができる。本体１４の底板１６は、雪３０に差し込む辺１６ｄ，１６ｅがＶ字形に形成されているため、容易に雪３０に差し込むことができる。案内板１８は、Ｖ字形に形成されているため、雪３０が多くても確実に保持し、効率よく側方に押しやり落とすことができる。案内板１８には補強リブ２０が設けられているため、雪３０が重くても確実に移動させることができ、案内板１８の破損も防ぐことができる。作業者２６は、脚立や台等により高い所に登る必要がなく、安全な場所で作業することができる。本体１４の底板１６または案内板１８を雪に差し込んで押し引きするだけで良く、力の弱い作業者２６でも、簡単で手軽に軒先２８ａの除雪を行うことができる。棒部材１２は、２〜３ｍ程度に設定され、軒先２８ａから離れて作業を行うことができ、作業者２６に軒先２８ａから落下した雪が当たることがなく、安全である。
【００２５】
なお、この考案の除雪具は上記実施形態に限定されるものではなく、棒部材は、適宜の長さに伸縮可能で所望の長さに固定可能なものでも良い。これにより、屋根の高さ等に合わせて作業しやすくなる。その他、各部材の形状は適宜変更可能であり、本体の底板は五角形以外に、四角形や円形等、自由に変更可能である。案内板の形状も、効率よく雪を保持するものであればよく、Ｖ字形以外に中心線に対して交差する直線に設けられてもよい。棒部材は、長さ調節機能が付いたものでもよく、棒部材を取り付ける固定部は上記以外でもよく、着脱式等にしてもよい。
【符号の説明】
【００２６】
１０  除雪具
１２  棒部材
１４  本体
１６  底板
１８  案内板
２０  補強リブ
２２  固定部
２４  透孔
【図１】
0003168505.tif 000003
【図２】
0003168505.tif 000004
【図３】
0003168505.tif 000005
【図４】
0003168505.tif 000006
【図５】
0003168505.tif 000007
【図６】
0003168505.tif 000008